(57)【特許請求の範囲】
【請求項１】
生体試料痕から生体試料を採取する生体試料採取キットであって、
前記生体試料を付着させる生体試料採取片と、
滅菌水と、
乾燥剤と、
本体部と、
前記本体部に対して装着される蓋部材と、を備え、
前記本体部は、
外部に通じる第１開口を有し、内部に前記生体試料採取片を収容する生体試料採取片収容領域と、
外部に通じる第２開口を有し、前記生体試料採取片収容領域と隔離して設けられ、内部に前記滅菌水を収容する滅菌水収容領域と、
前記生体試料採取片収容領域に通じ、前記滅菌水収容領域に隔離して設けられ、内部に前記乾燥剤を収容する乾燥剤収容領域と、を含み、
前記蓋部材は、
前記第１開口を閉ざすように装着される第１蓋部材と、
前記第２開口を閉ざすように装着される第２蓋部材と、を含み、
前記第１蓋部材は、先端部に前記生体試料採取片が取り付けられ、前記生体試料採取片収容領域に差し込まれる棒状部材を含む、生体試料採取キット。
【請求項２】
前記本体部は、第１容器部と、前記第１容器部に対して着脱可能に設けられる第２容器部とを含み、
前記第１容器部には、前記第１開口を有する前記生体試料採取片収容領域および前記生体試料採取片収容領域に通じる前記乾燥剤収容領域が設けられ、
前記第２容器部には、前記第２開口を有し前記滅菌水を収容する前記滅菌水収容領域が設けられ、
前記第１蓋部材は、前記第１開口の周りに設けられた雄ねじ部に螺合する雌ねじ部を含むキャップ部材であり、
前記第２蓋部材は、前記滅菌水収容領域に前記滅菌水を収容した状態で、前記第２開口を閉ざすように前記第２容器部に貼着されるシール部材である、請求項１に記載の生体試料採取キット。
【請求項３】
前記第１容器部は、前記乾燥剤収容領域を開閉可能にするカバーを含む、請求項２に記載の生体試料採取キット。
【請求項４】
ろ紙をさらに含み、
前記ろ紙は、前記第１容器部と前記第２容器部とにより挟まれた領域に配置されている、請求項２または３に記載の生体試料採取キット。
【請求項５】
前記生体試料採取片は、吸水性を有する部材である、請求項１から４のいずれかに記載の生体試料採取キット。
【発明の詳細な説明】
【技術分野】
【０００１】
この発明は、血液、精液、体液、その他の生体試料を採取する生体試料採取キットの構造に関する。本明細書における生体試料の採取は、人体から直接生体試料を採取するのではなく、事故現場、犯罪現場等に残された生体試料（以下、「生体試料痕」と称する）から生体試料を採取するものである。
【背景技術】
【０００２】
たとえば、事故現場、犯罪現場等に残された血痕から血液を採取および保管する場合には、乾燥している血痕に滅菌水（精製水）を加えて血痕を溶解させ、得られた血液をガーゼ等に吸液させ、それをラベル付きのサンプルビン、さらにはビニール袋に入れて保管することが行なわれている。また、血液を採取するキットとして、特開２００７−１３９５９９号公報（特許文献１）が挙げられる。
【先行技術文献】
【特許文献】
【０００３】
【特許文献１】特開２００７−１３９５９９号公報
【発明の概要】
【発明が解決しようとする課題】
【０００４】
採取した血液は、ＤＮＡ鑑定等の分析に用いられる。正確な血液の分析を行うためにも、血液採取時には、手袋、ピンセット等が必要なため作業が煩雑である。
【０００５】
具体的な作業は以下のとおりである。まず、「滅菌水」、「ガーゼ」、「ろ紙」、「ピンセット」、「検体保管容器」、「ナイロン袋」、および「封緘シール」のアイテムを準備する。これらのアイテムは個別に包装されている。これらのアイテムは、使用する際には個別包装を開封する。
【０００６】
まず、必要に応じて「ガーゼ」を「滅菌水」で浸漬する。必要に応じて「ろ紙」を用いて、「ガーゼ」に染み込んだ余分な水分を取り除く。また、血痕が乾燥および固着している場合には、「滅菌水」を用いて血痕を溶解させる。
【０００７】
「ガーゼ」を用いて血液の採取を行なう。「ガーゼ」の取扱いは、「ピンセット」で行なう。血液の採取を行なった「ガーゼ」を「検体保管容器」に収容する。「検体保管容器」および個別包装に用いられた袋を、「ナイロン袋」に収納する。「ナイロン袋」を「封緘シール」により保護する。「封緘シール」に必要事項を記入する。その後、血液の分析が行なわれる所（たとえば、科学捜査研究所等）に運び込まれる。
【０００８】
このように、血液を採取する作業は煩雑である。また、血液採取現場に、多くの必要アイテムを持ち込む必要がある。また、各アイテムの個別包装は最終的には廃棄されてしまう。
【０００９】
上記血液の採取に限らず、生体試料痕から生体試料を採取する場合には、同様の課題が生じる。
【００１０】
したがって、この発明は上記課題に鑑みてなされたもので、生体試料痕から生体試料の採取を行なう際の煩雑な工程を解消し、容易に生体試料の採取を行なうことができる生体試料採取キットを提供することにある。
【課題を解決するための手段】
【００１１】
この発明に基づいた生体試料採取キットにおいては、生体試料痕から生体試料を採取する生体試料採取キットであって、上記生体試料を付着させる生体試料採取片と、滅菌水と、乾燥剤と、本体部と、上記本体部に対して装着される蓋部材とを備える。
【００１２】
上記本体部は、外部に通じる第１開口を有し、内部に上記生体試料採取片を収容する生体試料採取片収容領域と、外部に通じる第２開口を有し、上記生体試料採取片収容領域と隔離して設けられ、内部に上記滅菌水を収容する滅菌水収容領域と、上記生体試料採取片収容領域に通じ、上記滅菌水収容領域に隔離して設けられ、内部に上記乾燥剤を収容する乾燥剤収容領域とを含む。
【００１３】
上記蓋部材は、上記第１開口を閉ざすように装着される第１蓋部材と、上記第２開口を閉ざすように装着される第２蓋部材とを含む。
【００１４】
上記第１蓋部材は、先端部に上記生体試料採取片が取り付けられ、上記生体試料採取片収容領域に差し込まれる棒状部材を含む。
【００１５】
他の形態において、上記本体部は、第１容器部と、上記第１容器部に対して着脱可能に設けられる第２容器部とを含み、上記第１容器部には、上記第１開口を有する上記生体試料採取片収容領域および上記生体試料採取片収容領域に通じる上記乾燥剤収容領域が設けられ、上記第２容器部には、上記第２開口を有し上記滅菌水を収容する上記滅菌水収容領域が設けられ、上記第１蓋部材は、上記第１開口の周りに設けられた雄ねじ部に螺合する雌ねじ部を含むキャップ部材であり、上記第２蓋部材は、上記滅菌水収容領域に上記滅菌水を収容した状態で、上記第２開口を閉ざすように上記第２容器部に貼着されるシール部材である。
【００１６】
他の形態において、上記第１容器部は、上記乾燥剤収容領域を開閉可能にするカバーを含む。
【００１７】
他の形態において、ろ紙をさらに含み、上記ろ紙は、上記第１容器部と上記第２容器部とにより挟まれた領域に配置されている。
【００１８】
他の形態において、上記生体試料採取片は、吸水性を有する部材である。
【発明の効果】
【００１９】
この発明に基づいた生体試料採取キットによれば、生体試料痕から生体試料の採取を行なう際の煩雑な工程を解消し、容易に血液の採取を行なうことができる生体試料採取キットを提供することが可能となる。
【図面の簡単な説明】
【００２０】
【図１】実施の形態１における生体試料採取キットの全体斜視図である。
【図２】実施の形態１における生体試料採取キットの蓋部材の斜視図である。
【図３】実施の形態１における生体試料採取キットの蓋部材の正面図である。
【図４】実施の形態１における生体試料採取キットの容器の縦断面図である。
【図５】実施の形態１における生体試料採取キットの全体縦断面図である。
【図６】実施の形態２における生体試料採取キットの全体斜視図である。
【図７】実施の形態２における生体試料採取キットの分解斜視図である。
【図８】実施の形態２における生体試料採取キットの分解縦断面図である。
【図９】実施の形態２における生体試料採取キットの全体縦断面図である。
【発明を実施するための形態】
【００２１】
本発明に基づいた各実施の形態における生体試料採取キットについて、以下、図を参照しながら説明する。なお、以下に説明する各実施の形態において、個数、量などに言及する場合、特に記載がある場合を除き、本発明の範囲は必ずしもその個数、量などに限定されない。また、各実施の形態に表れる構成を適宜組み合わせて用いることは当初から予定されていることである。
【００２２】
以下に示す各実施の形態における生体試料採取キットは、生体試料痕の一例として、血痕から血液を採取する場合について説明しているが、生体試料痕は血痕に限定されるものではない。生体試料痕から血液、精液、体液、その他の生体試料を採取する場合にも、以下に示す作用効果と同様の作用効果を得ることができる。
【００２３】
（実施の形態１：生体試料採取キット１００）
以下、図１から図５を参照して、本実施の形態における生体試料採取キット１００の構造について説明する。なお、図１は、生体試料採取キット１００の全体斜視図、図２は、生体試料採取キット１００のキャップ部材１１０の斜視図、図３は、生体試料採取キット１００のキャップ部材１１０の正面図、図４は、生体試料採取キット１００の容器１２０の縦断面図、図５は、生体試料採取キット１００の全体縦断面図である。
【００２４】
図１を参照して、この生体試料採取キット１００は、本体部としての容器１２０と、蓋部材としてのキャップ部材１１０とを有する。蓋部材としてのキャップ部材１１０は、容器１２０に対して着脱可能に装着される。生体試料採取キットの大きさは、高さ約９０ｍｍ、幅約３０ｍｍ、厚さ約１５ｍｍ程度である。
【００２５】
本実施の形態では、キャップ部材１１０および容器１２０の外形形状は、矩形形状であるが、この形状に限定されるものではない。キャップ部材１１０および容器１２０は、樹脂成形品である。材料には、透明部材、非透明部材のどちらを用いても良いが、既に使用済みであることを容易に判別するためには、透明部材を用いるとよい。
【００２６】
図２および図３を参照して、キャップ部材１１０は、グリップ部１１１、グリップ部１１１から延びる円筒状の第１蓋部材１１２、同様にグリップ部１１１から延びる円筒状の第２蓋部材１１３、第１蓋部材１１２の先端から延びる棒状部材１１４、および、この棒状部材１１４の先端部に取り付けられる生体試料採取片１１５を有する。
【００２７】
生体試料採取片１１５は、液体状の血液を付着させるために、吸水性の富む材料を用いることが好ましく、紙部材、綿、吸水性スポンジ等が用いられる。また、生体試料採取片１１５の先端部分は、尖った形状を有しているとよい。
【００２８】
図４を参照して、容器１２０には、外部に通じる第１開口１２２Ａを有し、内部に上述の生体試料採取片１１５を収容する生体試料採取片収容領域１２２が設けられている。この生体試料採取片収容領域１２２は、縦方向に細長く延びる中空の領域であり底部において、後述の乾燥剤収容領域１３０と連通している。
【００２９】
また、容器１２０には、外部に通じる第２開口１２３Ａを有し、上記生体試料採取片収容領域１２２と隔離して設けられ、内部に滅菌水Ｗを収容する滅菌水収容領域１２３が設けられている。この滅菌水収容領域１２３は、生体試料採取片収容領域１２２と並行して設けられ、縦方向に細長く延びる中空の領域である。滅菌水収容領域１２３の溝深さは、生体試料採取片収容領域１２２の溝深さよりも浅く設けられている。
【００３０】
また、容器１２０には、滅菌水収容領域１２３の下方において、上記生体試料採取片収容領域１２２に通じ、上記滅菌水収容領域１２３に隔離して設けられ、内部に乾燥剤１３１（図５参照）を収容する乾燥剤収容領域１３０が設けられている。
【００３１】
容器１２０は、生体試料採取片収容領域１２２、滅菌水収容領域１２３、および乾燥剤収容領域１３０が形成され、底部が開放した胴体容器１２１ａと、胴体容器１２１ａの底部を閉ざす底部容器１２１ｂとを有する。乾燥剤収容領域１３０への乾燥剤１３１の収容は、胴体容器１２１ａの底部から乾燥剤１３１を挿入した後に、底部容器１２１ｂにより胴体容器１２１ａの底部が閉ざされる。
【００３２】
図５は、容器１２０にキャップ部材１１０を装着した状態を示す図であり、血液を採取する前の、未使用状態の生体試料採取キットの縦断面図である。キャップ部材１１０に設けられる第１蓋部材１１２の直径は、生体試料採取片収容領域１２２の第１開口１２２Ａを気密的に閉ざすことができるとともに抜き差しが可能な嵌め合い寸法に設定されている。また、生体試料採取片収容領域１２２の溝深さは、棒状部材１１４および生体試料採取片１１５を収容可能な深さに設けられている。
【００３３】
キャップ部材１１０に設けられる第２蓋部材１１３の直径は、滅菌水収容領域１２３の第２開口１２３Ａを液密的に閉ざすことができるとともに抜き差しが可能な嵌め合い寸法に設定されている。また、滅菌水収容領域１２３の溝深さは、収容すべき滅菌水Ｗの容量に応じて決定されている。滅菌水収容領域１２３には、所定量の滅菌水Ｗが収容されている。
【００３４】
乾燥剤収容領域１３０には、乾燥剤１３１が収容されている。生体試料採取片収容領域１２２と乾燥剤収容領域１３０とは連通していることから、生体試料採取片収容領域１２２は乾燥状態に保たれている。
【００３５】
（血液の採取）
次に、本実施の形態における生体試料採取キット１００を用いた血痕からの血液の採取について説明する。この生体試料採取キット１００は、ナイロン袋に封緘シールととも収容されている。血液採取現場において、ナイロン袋から生体試料採取キット１００を取り出す。
【００３６】
容器１２０からキャップ部材１１０を取り外し、血痕が固まっている場合には、滅菌水を用いて溶解させる。また、必要に応じて滅菌水を用いて、生体試料採取片１１５を湿らせる。次に、生体試料採取片１１５に血液を付着させる。
【００３７】
次に、生体試料採取片１１５を有する棒状部材１１４を生体試料採取片収容領域１２２に差し込むようにして、キャップ部材１１０を容器１２０に装着する。キャップ部材１１０と容器１２０との間を、封緘シールにより封印する。封緘シールに必要事項を記入する。その後、血液の分析が行なわれる所（たとえば、科学捜査研究所等）に運び込まれる。
【００３８】
このように、本実施の形態１における生体試料採取キット１００を用いた血液の採取においては、血液の採取に必要なアイテムが一つのキット内に収容されていることから、血液の採取を容易に行なうことが可能となる。また、必要なアイテムが予め容器１２０内に収容されていることから、アイテムの個別包装が不要となる。
【００３９】
さらに、生体試料採取片収容領域１２２は、乾燥剤により乾燥状態が保たれていることから、採取した血液の劣化を防止することも可能となる。
【００４０】
（実施の形態２：生体試料採取キット２００）
以下、図６から図９を参照して、本実施の形態における生体試料採取キット２００の構造について説明する。図６は、生体試料採取キット２００の全体斜視図、図７は、生体試料採取キット２００の分解斜視図、図８は、生体試料採取キット２００の分解縦断面図、図９は、生体試料採取キット２００の全体縦断面図である。
【００４１】
図６および図７を参照して、この生体試料採取キット２００は、第１容器部２１０、この第１容器部２１０に対して着脱可能に設けられる第２容器部２４０、第１蓋部材としてのキャップ部材２２０、および第２蓋部材としてのシール部材２５０とを有する。第１容器部２１０および第２容器部２４０により本体部を構成する。生体試料採取キット２００の大きさは、高さ約７０ｍｍ、幅約４０ｍｍ、厚さ約１６ｍｍ程度である。
【００４２】
本実施の形態では、第１容器部２１０と第２容器部２４０とが合体した状態の外形形状は、端部が丸められた矩形形状であるが、この形状に限定されるものではない。キャップ部材２２０、第１容器部２１０、および第２容器部２４０は、樹脂成形品である。材料には、透明部材、非透明部材のどちらを用いても良いが、既に使用済みであることを容易に判別するためには、透明部材を用いると良い。
【００４３】
図７および図８を参照して、第１容器部２１０と第２容器部２４０とは相互に着脱可能に設けられている。第１容器部２１０の第２容器部２４０と接する当接面２１６は、凸面状に成形されている。一方、第２容器部２４０の第１容器部２１０と接する当接面２４２は、凸面状に成形された当接面２１６に嵌りあう凹面状に成形されている。
【００４４】
第１容器部２１０の当接面２１６には、係合孔２１７と係合軸２１５とが設けられている。また、第２容器部２４０の当接面２４２には、係合孔２１７に勘合する突起２４３と、係合軸２１５に係合する係合爪２４４が設けられている。
【００４５】
係合爪２４４が係合軸２１５に係合することにより、係合軸２１５を回転中心として、第１容器部２１０と第２容器部２４０とが相互に回転可能に連結される。また、係合孔２１７に突起２４３が勘合することで、第１容器部２１０と第２容器部２４０とが結合して合体した状態となる。
【００４６】
当接面２１６または当接面２４２には、血液の採取の際に用いるろ紙２６０が配置される。本実施の形態では、当接面２４２にろ紙２６０が貼着されている。第１容器部２１０と第２容器部２４０とが結合して合体することで、ろ紙２６０は露出しない状態が維持され、ろ紙２６０の汚れ付着を防止することができる。
【００４７】
キャップ部材２２０は、外形が略円筒形状のグリップ部２２１ａ、グリップ部２２１ａの内部に設けられる棒状部材固定部２２１ｂ、および、雌ねじ部２２１ｃを有する。棒状部材固定部２２１ｂには、棒状部材２２２の一端が差し込まれるようにして固定される。また、棒状部材２２２の先端部には、生体試料採取片２２３が取り付けられている。
【００４８】
生体試料採取片２２３は、液体状の血液を付着させるために、吸水性の富む材料を用いることが好ましく、紙部材、綿、吸水性スポンジ等が用いられる。また、生体試料採取片２２３の先端部分は、尖った形状を有していると良い。
【００４９】
第１容器部２１０には、外部に通じる第１開口２１２Ａを有し、内部に上述の生体試料採取片２２３を収容する生体試料採取片収容領域２１２が設けられている。この生体試料採取片収容領域２１２は、縦方向に細長く延びる中空の領域である。
【００５０】
第１開口２１２Ａは、その周りを取り囲むように設けられた筒状の側壁２１３により規定され、この側壁２１３の外周面には、キャップ部材２２０に設けられた雌ねじ部２２１ｃと螺合する雄ねじ部２１３ｃが形成されている。
【００５１】
この生体試料採取片収容領域２１２の側方には、乾燥剤２７０を収容する乾燥剤収容領域２３２が設けられ、生体試料採取片収容領域２１２は、この乾燥剤収容領域２３２と連通している。
【００５２】
乾燥剤収容領域２３２は、第１容器部２１０の外周面に沿った湾曲形状のカバー部材２３１の内周面によって規定される。カバー部材２３１は、第１容器部２１０の上下端部に設けられた庇部材２１１，２１４の間に挟みこまれるようにして、第１容器部２１０に対して着脱可能に取り付けられる。
【００５３】
第２容器部２４０には、外部に通じる第２開口２４５Ａを有し、内部に滅菌水Ｗを収容する滅菌水収容領域２４５が設けられている。この滅菌水収容領域２２３は、第１容器部２１０と第２容器部２４０とが結合して合体した状態では、生体試料採取片収容領域２１２と並行し、縦方向に細長く延びる中空の領域である。
【００５４】
第２開口２４５Ａは、第２容器部２４０に貼着されるシール部材２５０により、内部に滅菌水Ｗを蓄えた状態で閉ざされる。
【００５５】
図９は、第１容器部２１０と第２容器部２４０とが結合して合体し、キャップ部材２２０により第１開口２１２Ａが閉ざされ、滅菌水収容領域２４５の内部に滅菌水Ｗを蓄えた状態でシール部材２５０により第２開口２４５Ａが閉ざされた状態を示す図であり、血液を採取する前の、未使用状態の生体試料採取キット２００の縦断面図である。
【００５６】
生体試料採取片収容領域２１２の溝深さは、棒状部材２２２および生体試料採取片２２３を収容可能な深さに設けられている。また、滅菌水収容領域２４５の溝深さは、収容すべき滅菌水Ｗの容量に応じて決定されている。滅菌水収容領域１２３には、所定量の滅菌水Ｗが収容されている。
【００５７】
乾燥剤収容領域２３２には、乾燥剤２７０が収容されている。生体試料採取片収容領域２１２と乾燥剤収容領域２３２とは連通していることから、生体試料採取片収容領域２１２は乾燥状態に保たれている。
【００５８】
（血液の採取）
次に、本実施の形態における生体試料採取キット２００を用いた血痕からの血液の採取について説明する。この生体試料採取キット２００は、ナイロン袋に封緘シールととも収容されている。血液採取現場において、ナイロン袋から生体試料採取キット２００を取り出す。
【００５９】
第１容器部２１０と第２容器部２４０との結合状態を解除し、第１容器部２１０と第２容器部２４０とを分離状態とする。第２容器部２４０からシール部材２５０を引き離し、血痕が固まっている場合には、滅菌水を用いて溶解させる。
【００６０】
また、第１容器部２１０からキャップ部材２２０を用いて棒状部材２２２および生体試料採取片２２３を引き出す。必要に応じて滅菌水Ｗを用いて、生体試料採取片２２３を湿らせる。次に、生体試料採取片２２３に血液を付着させる。必要に応じて、ろ紙２６０を用いて、生体試料採取片２２３の余分な水分の除去、清掃を行なう。
【００６１】
次に、生体試料採取片２２３を有する棒状部材２２２を生体試料採取片収容領域２１２に差し込むようにして、キャップ部材２２０を第１容器部２１０に装着する。キャップ部材２２０を回転させて、雌ねじ部２２１ｃと雄ねじ部２１３ｃとを螺合させることで、側壁２１３にキャップ部材２２０を固定する。
【００６２】
キャップ部材２２０と第１容器部２１０とに跨るように封緘シールを貼着する。封緘シールに必要事項を記入する。その後、血液の分析が行なわれる所（たとえば、科学捜査研究所等）に運び込まれる。
【００６３】
このように、本実施の形態２における生体試料採取キット２００を用いた血液の採取によれば、血液の採取に必要なアイテムが一つのキット内に収容されていることから、血液の採取を容易に行なうことが可能となる。また、必要なアイテムが予め第１容器部２１０および第２容器部２４０内に収容されていることから、アイテムの個別包装が不要となる。
【００６４】
さらに、生体試料採取片収容領域２１２は、乾燥剤２７０により乾燥状態が保たれていることから、採取した血液の劣化を防止することも可能となる。
【００６５】
また、採取した血液の保管時には、滅菌水Ｗを蓄積した第２容器部２４０は不要となり、第１容器部２１０のみ保管すれば良いため、保管スペースの省スペース化を図ることも可能となる。
【００６６】
なお、上記実施の形態では、第１容器部２１０および第２容器部２４０を別体構造としたが、第１容器部２１０および第２容器部２４０を一体構造とすることも可能である。
【００６７】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００６８】
１００，２００  生体試料採取キット、１１０，２２０  キャップ部材、１１１  グリップ部、１１２  第１蓋部材、１１３  第２蓋部材、１１４，２２２  棒状部材、１１５，２２３  生体試料採取片、１２０  容器、１２１ａ  胴体容器、１２１ｂ  底部容器、１２２，２１２  生体試料採取片収容領域、１２２Ａ，２１２Ａ  第１開口、１２３，２４５  滅菌水収容領域、１２３Ａ  第２開口、１３０，２３２  乾燥剤収容領域、１３１，２７０  乾燥剤、２１０  第１容器部、２１１，２１４  庇部材、２１３  側壁、２１３ｃ  雄ねじ部、２１５  係合軸、２１６，２４２  当接面、２１７  係合孔、２２１ａ  グリップ部、２２１ｂ  棒状部材固定部、２２１ｃ  雌ねじ部、２３１  カバー部材、２４０  第２容器部、２４３  突起、２４４  係合爪、２４５Ａ  第２開口、２５０  シール部材、２６０  ろ紙、Ｗ  滅菌水。
【図１】
0005745378.tif 000002
【図２】
0005745378.tif 000003
【図３】
0005745378.tif 000004
【図４】
0005745378.tif 000005
【図５】
0005745378.tif 000006
【図６】
0005745378.tif 000007
【図７】
0005745378.tif 000008
【図８】
0005745378.tif 000009
【図９】
0005745378.tif 000010